(57)【要約】【課題】患者の取り違いによる医療ミスを防止する。【解決手段】患者の医療支援を行う医療支援システムであって、患者が所持する無線タグと、患者の医療情報を格納する医療情報データベースと、無線タグ及び医療情報データベースと通信する医療支援装置とを備える。医療支援装置は、患者が当該医療支援装置に近づいた場合に、無線タグから患者を識別する患者ＩＤを取得する患者ＩＤ取得部と、医療情報データベースを参照して、患者ＩＤ取得部が取得した患者ＩＤで識別される患者に、当該医療支援装置が適切であるか否かを判断する適合判断部と、適合判断部が不適切であると判断した場合に、患者に対して警告を発する警告発生部とを有する。【選択図】  図１
2004287615.tif 000002
【特許請求の範囲】
【請求項１】
患者の医療支援を行う医療支援システムであって、
前記患者が所持する無線タグと、
前記患者の医療情報を格納する医療情報データベースと、
前記無線タグ及び前記医療情報データベースと通信する医療支援装置と
を備え、
前記医療支援装置は、
前記患者が当該医療支援装置に近づいた場合に、前記無線タグから前記患者を識別する患者ＩＤを取得する患者ＩＤ取得部と、
前記医療情報データベースを参照して、前記患者ＩＤ取得部が取得した前記患者ＩＤで識別される前記患者に、当該医療支援装置が適切であるか否かを判断する適合判断部と、
前記適合判断部が不適切であると判断した場合に、前記患者に対して警告を発する警告発生部と
を有する医療支援システム。
【請求項２】
前記無線タグは、前記医療支援装置に近づけられた場合にのみ前記医療支援装置と通信できる微弱な電波を用いて前記患者ＩＤを前記医療支援装置に送信する請求項１に記載の医療支援システム。
【請求項３】
前記医療支援装置は、
前記適合判断部が適切であると判断した場合に、前記医療情報データベースが格納する前記患者の前記医療情報から、前記患者に応じた当該医療支援装置の設定情報を抽出する設定情報抽出部と、
前記設定情報抽出部が抽出した前記設定情報を当該医療支援装置に設定する設定部と
をさらに有する請求項１に記載の医療支援システム。
【請求項４】
前記医療支援装置は、放射線撮影装置であり、
前記設定情報抽出部は、前記適合判断部が適切であると判断した場合に、前記医療情報データベースが格納する前記患者の前記医療情報から、前記患者の撮影条件を抽出する請求項３に記載の医療支援システム。
【請求項５】
前記医療支援装置は、放射線撮影装置であり、
前記患者ＩＤ取得部は、当該放射線撮影装置の撮影台に設けられる請求項４に記載の医療支援システム。
【請求項６】
前記医療支援装置は、
前記適合判断部が適切であると判断した場合に、前記医療情報データベースが格納する前記患者の前記医療情報から、前記患者に応じた当該医療支援装置の設定情報を抽出する設定情報抽出部と、
前記設定情報抽出部が抽出した前記設定情報を表示する表示部と
をさらに有する請求項１に記載の医療支援システム。
【請求項７】
前記医療支援装置は、リハビリ装置であり、
前記設定情報抽出部は、前記適合判断部が適切であると判断した場合に、前記医療情報データベースが格納する前記患者の前記医療情報から、前記患者のリハビリメニューを抽出する請求項６に記載の医療支援システム。
【請求項８】
患者の医療支援を行う医療支援装置であって、
前記患者が当該医療支援装置に近づいた場合に、前記患者が所持する無線タグから前記患者を識別する患者ＩＤを取得する患者ＩＤ取得部と、
前記患者の医療情報を格納する医療情報データベースを参照して、前記患者ＩＤ取得部が取得した前記患者ＩＤで識別される前記患者に、当該医療支援装置が適切であるか否かを判断する適合判断部と、
前記適合判断部が不適切であると判断した場合に、前記患者に対して警告を発する警告発生部と
を備える医療支援装置。
【発明の詳細な説明】
【０００１】
【発明の属する技術分野】
本発明は、医療支援システム及び医療支援装置に関する。特に本発明は、患者の医療支援を行う医療支援システム及び医療支援装置に関する。
【０００２】
【従来の技術】
従来、病院における患者の照合は、患者が受け答えできる状態の場合は患者から直接聞くことにより確認し、患者が受け答えできない状態の場合は患者のベッドに記載された患者名を確認して行われていた。
【０００３】
現時点で先行技術文献の存在を認識していないので、先行技術文献に関する記載を省略する。
【０００４】
【発明が解決しようとする課題】
しかしながら、上述のような患者の確認方法では、医師や看護師の思い込みや見過ごし等に起因する患者の取り違いが発生し、重大な医療ミスを招くおそれがあった。
【０００５】
そこで本発明は、上記の課題を解決することのできる医療支援システム及び医療支援装置を提供することを目的とする。この目的は特許請求の範囲における独立項に記載の特徴の組み合わせにより達成される。また従属項は本発明の更なる有利な具体例を規定する。
【０００６】
【課題を解決するための手段】
即ち、本発明の形態によると、患者の医療支援を行う医療支援システムであって、患者が所持する無線タグと、患者の医療情報を格納する医療情報データベースと、無線タグ及び医療情報データベースと通信する医療支援装置とを備える。
【０００７】
医療支援装置は、患者が当該医療支援装置に近づいた場合に、無線タグから患者を識別する患者ＩＤを取得する患者ＩＤ取得部と、医療情報データベースを参照して、患者ＩＤ取得部が取得した患者ＩＤで識別される患者に、当該医療支援装置が適切であるか否かを判断する適合判断部と、適合判断部が不適切であると判断した場合に、患者に対して警告を発する警告発生部とを有する。無線タグは、医療支援装置に近づけられた場合にのみ医療支援装置と通信できる微弱な電波を用いて患者ＩＤを医療支援装置に送信してもよい。
【０００８】
医療支援装置は、適合判断部が適切であると判断した場合に、医療情報データベースが格納する患者の医療情報から、患者に応じた当該医療支援装置の設定情報を抽出する設定情報抽出部と、設定情報抽出部が抽出した設定情報を当該医療支援装置に設定する設定部とをさらに有してもよい。
【０００９】
医療支援装置は、放射線撮影装置であり、設定情報抽出部は、適合判断部が適切であると判断した場合に、医療情報データベースが格納する患者の医療情報から、患者の撮影条件を抽出してもよい。医療支援装置は、放射線撮影装置であり、患者ＩＤ取得部は、当該放射線撮影装置の撮影台に設けられてもよい。
【００１０】
医療支援装置は、適合判断部が適切であると判断した場合に、医療情報データベースが格納する患者の医療情報から、患者に応じた当該医療支援装置の設定情報を抽出する設定情報抽出部と、設定情報抽出部が抽出した設定情報を表示する表示部とをさらに有してもよい。
【００１１】
医療支援装置は、リハビリ装置であり、設定情報抽出部は、適合判断部が適切であると判断した場合に、医療情報データベースが格納する患者の医療情報から、患者のリハビリメニューを抽出してもよい。
【００１２】
なお上記の発明の概要は、本発明の必要な特徴の全てを列挙したものではなく、これらの特徴群のサブコンビネーションも又発明となりうる。
【００１３】
【発明の実施の形態】
以下、発明の実施の形態を通じて本発明を説明するが、以下の実施形態は特許請求の範囲に係る発明を限定するものではなく、又実施形態の中で説明されている特徴の組み合わせの全てが発明の解決手段に必須であるとは限らない。
【００１４】
図１は、本発明の一実施形態に係る医療支援システム１０の全体構成の一例を示す。医療支援システム１０は、放射線撮影装置、放射線治療装置、リハビリ装置等の医療支援装置１００に患者１０２が近づいた場合に、その患者１０２がその医療支援装置１００によって医療行為を受けるべき患者であるか否かを判断し、患者の取り違いによる医療ミスを防止することを目的とする。
【００１５】
医療支援システム１０は、患者１０２の医療を支援する医療支援装置１００と、患者１０２が所持する無線ＩＣチップ等の無線タグ１０４と、患者の医療情報を格納する医療情報データベース１０６とを備える。医療支援装置１００は、無線タグ１０４及び医療情報データベース１０６と通信してデータの授受を行う。
【００１６】
無線タグ１０４は、内蔵するメモリに患者１０２を識別する患者ＩＤを保持しており、医療支援装置１００に近づけられた場合にのみ医療支援装置１００と通信できる微弱な電波を用いて患者ＩＤを医療支援装置１００に送信する。医療支援装置１００は、患者ＩＤを取得したことにより、患者１０２が近づいたと判断する。
【００１７】
医療支援装置１００は、医療支援装置１００の近くにいる患者１０２の無線タグ１０４から患者ＩＤを取得し、取得した患者ＩＤに基づいて医療情報データベース１０６が格納する患者１０２の医療情報を参照する。医療情報データベース１０６は、医療情報として、患者１０２の傷病等の診断結果や、検査状況やリハビリ状況等の治療計画を格納しており、医療支援装置１００は、これらの情報を参照して、患者１０２が医療支援装置１００を利用すべき患者であるか否かを判断する。そして、判断結果に応じて、患者１０２への警告や表示、医療支援装置１００の設定等の動作を行う。
【００１８】
図２は、本実施形態に係る医療支援装置１００の機能構成の一例を示す。医療支援装置１００は、患者１０２が所持する無線タグ１０４から患者１０２を識別する患者ＩＤを取得する患者ＩＤ取得部１０８と、患者ＩＤ取得部１０８が取得した患者ＩＤで識別される患者１０２に医療支援装置１００が適切であるか否かを判断する適合判断部１１０と、医療支援装置１００が患者１０２に不適切である場合に患者１０２に対して警告を発する警告発生部１１２と、医療情報データベース１０６から患者１０２に応じた医療支援装置１００の設定情報を抽出する設定情報抽出部１１４と、設定情報抽出部１１４が抽出した設定情報を医療支援装置１００に設定する設定部１０６と、設定情報抽出部１１４が抽出した設定情報を表示する表示部１１８とを備える。
【００１９】
図３は、本実施形態に係る医療支援装置１００の動作フローの一例を示す。患者ＩＤ取得部１０８は、患者１０２が医療支援装置１００に近づいた場合に、患者１０２が所持する無線タグ１０４から送信される患者ＩＤを取得する（Ｓ１００）。そして、適合判断部１１０は、医療情報データベース１０６を参照して（Ｓ１０２）、患者ＩＤ取得部１０８が取得した患者ＩＤで識別される患者１０２に、医療支援装置１００が適切であるか否かを判断する（Ｓ１０４）。
【００２０】
適合判断部１１０が適切であると判断した場合（Ｓ１０４−Ｙ）に、設定情報抽出部１１４は、医療情報データベース１０６が格納する患者１０２の医療情報から、患者１０２に応じた医療支援装置１００の設定情報を抽出する（Ｓ１０６）。そして、設定部１１６は、設定情報抽出部１１４が抽出した設定情報を医療支援装置１００に設定し、表示部１１８は、設定情報抽出部１１４が抽出した設定情報を患者１０２又は医師に対して表示する（Ｓ１０８）。
【００２１】
適合判断部１１０が不適切であると判断した場合（Ｓ１０４−Ｎ）に、患者１０２又は医師に対して音声等により警告を発し、患者を取り違えていることを通知する（Ｓ１１０）。このように、患者１０２のカルテ情報に基づいて、医療支援装置１００に近づいた患者１０２が医療支援装置１００による医療行為を受けるべきものであるか否かを監視することによって、患者１０２の取り違いを防止でき、医療ミスを防止することができる。
【００２２】
図４は、本実施形態に係る医療支援装置１００の第１の具体例を示す。本例の医療支援装置１００は、放射線源１２０から放射される放射線を用いて、撮影台１２２に保持された患者１０２の放射線画像を取得する放射線撮影装置１００ａである。撮影台１２２は、例えばＣＴスキャンのベッドや胸部レントゲン撮影装置の撮影台である。
【００２３】
患者ＩＤ取得部１０８は、撮影台１２２に設けられ、撮影台１２２に近づいた患者１０２の無線タグ１０４から患者ＩＤを取得する。患者１０２が放射線撮影を行う場合には必ず撮影台１２２に近づくので、撮影台１２２に患者ＩＤ取得部１０８を設けることによって確実に患者１０２の患者ＩＤを取得することができる。また、スピーカ等の警告発生部１１２は、撮影台１２２に設けられ、患者１０２や医師に警告音を発生してもよい。
【００２４】
適合判断部１１０が、患者１０２が放射線撮影装置１００ａによって放射線画像を取得すべき患者であることを確認すると、設定情報抽出部１１４は、医療情報データベース１０６から患者１０２の撮影条件を抽出する。撮影条件とは、例えば放射線源１２０が放射する放射線の強さ、グリッド比等である。医療情報データベース１０６は、患者１０２が過去に放射線撮影を行ったときの撮影条件を患者１０２の医療情報として記録している。そして、設定情報抽出部１１４は、医療情報データベース１０６から過去の患者１０２の撮影条件を抽出する。そして、設定部１１６は、設定情報抽出部１１４が抽出した撮影条件に基づいて放射線源１２０の放射線の強さ等を設定する。そして、放射線撮影装置１００ａは、患者１０２の放射線画像を取得する。
【００２５】
このように、患者１０２の撮影条件を自動的に抽出して設定することによって、患者の取り違いを防止するだけでなく、適切な撮影条件で患者１０２を撮影することができる。また、過去に患者１０２を撮影したときの同一の撮影条件で撮影できるので、サブストラクション処理等を高精度に行うことができる。
【００２６】
図５は、本実施形態に係る医療支援装置１００の第２の具体例を示す。本例の医療支援装置１００は、患者１０２のリハビリを支援するリハビリ装置１００ｂである。
【００２７】
患者ＩＤ取得部１０８は、リハビリ装置１００ｂに近づいた患者１０２の無線タグ１０４から患者ＩＤを取得する。患者１０２がリハビリを行う場合には必ずリハビリ装置１００ｂに近づくので、リハビリ装置１００ｂに患者ＩＤ取得部１０８を設けることによって確実に患者１０２の患者ＩＤを取得することができる。
【００２８】
適合判断部１１０が、患者１０２がリハビリ装置１００ｂによってリハビリすべき患者であることを確認すると、設定情報抽出部１１４は、医療情報データベース１０６から患者１０２のリハビリメニューを抽出する。医療情報データベース１０６は、患者１０２の治療計画の一部として医師が決めたリハビリメニューを記録している。設定部１１６は、設定情報抽出部１１４が抽出したリハビリメニューに基づいてリハビリ装置１００ｂを設定する。表示部１１８は、設定情報抽出部１１４が抽出したリハビリメニューを表示する。
【００２９】
このように、患者１０２のリハビリメニューを自動的に抽出して設定、表示することによって、患者の取り違いを防止するだけでなく、適切なリハビリメニューで患者１０２のリハビリを行うことができる。
【００３０】
本実施形態の医療新システム１０によれば、医師や看護師の思い込みや見過ごし等に起因する患者の取り違いを防止でき、重大な医療ミスを未然に防ぐことができる。
【００３１】
以上、実施形態を用いて本発明を説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【００３２】
【発明の効果】
上記説明から明らかなように、本発明の医療支援システムによれば、患者の取り違いによる医療ミスを防止できる。
【図面の簡単な説明】
【図１】医療支援システム１０の全体構成の一例を示す図である。
【図２】医療支援装置１００の機能構成の一例を示す図である。
【図３】医療支援装置１００の動作フローの一例を示す図である。
【図４】医療支援装置１００の第１の具体例を示す図である。
【図５】医療支援装置１００の第２の具体例を示す図である。
【符号の説明】
１０      医療支援システム
１００    医療支援装置
１００ａ  放射線撮影装置
１００ｂ  リハビリ装置
１０２    患者
１０４    無線タグ
１０６    医療情報データベース
１０８    患者ＩＤ取得部
１１０    適合判断部
１１２    警告発生部
１１４    設定情報抽出部
１１６    設定部
１１８    表示部
１２０    放射線源
１２２    撮影台
【図１】
2004287615.tif 000003
【図２】
2004287615.tif 000004
【図３】
2004287615.tif 000005
【図４】
2004287615.tif 000006
【図５】
2004287615.tif 000007